(57)【要約】  袋詰め補助具（１）は、一対の上部フレーム（２）と、長手方向に沿って互いに対向させ、かつ、略水平方向に保持した状態で上部フレーム（２）を支持する脚部フレーム（３）と、上部フレーム（２）の間に互いに離間して横架され、上部フレーム（２）に対して回動可能に軸支されるとともに、袋体の開口部を開いた状態で保持する保持爪部（４）を有する一対の回動棒（５ａ），（５ｂ）と、回動棒（５ａ）に取設され、回動棒（５ａ）を上部フレーム（２）に対して回動させる操作部（６）と、一対の回動棒（５ａ），（５ｂ）を連結し、操作部（６）による回動棒（５ａ）の回動操作に連動し、回動棒（５ｂ）を操作部（６）の回動操作方向と相対する方向に回動させる第一チェーン（７）及び第二チェーン（８）と、開口保持位置（Ｈ）で、回動棒（５ａ），（５ｂ）の回動を規制する回動規制部とを具備する。
2006134625.tif 000002
【特許請求の範囲】
【請求項１】
一対の上部フレームと、
長手方向に沿って互いに対向させ、かつ、略水平方向に保持した状態で前記上部フレームを支持する脚部フレームと、
前記上部フレームの間に互いに離間して横架され、前記上部フレームに対して回動可能に軸支されるとともに、袋体の開口部を開いた状態で保持する開口保持手段を有する一対の回動棒と、
前記回動棒の少なくともいずれか一方に取設され、前記回動棒を前記上部フレームに対して回動させる操作部と、
一対の前記回動棒を連結し、前記操作部によるいずれか一方の前記回動棒の回動操作に連動し、いずれか他方の前記回動棒を前記操作部の回動操作方向と相対する方向に回動させる連動手段と
を具備することを特徴とする袋詰め補助具。
【請求項２】
前記連動手段は、
一方の前記回動棒の棒表上面から他方の前記回動棒の棒表下面に沿うようにして、一対の前記回動棒の間に架渡され、前記操作部による回動操作に応じ自在に変形可能な第一チェーンと、
他方の前記回動棒の棒表上面から一方の前記回動棒の棒表下面に沿うようにして、一対の前記回動棒の間に架渡され、前記操作部による回動操作に応じ自在に変形可能な第二チェーンと
を具備することを特徴とする請求項１に記載の袋詰め補助具。
【請求項３】
前記開口保持手段は、
前記回動棒の長手方向に沿って複数取設されていることを特徴とする請求項１に記載の袋詰め補助具。
【請求項４】
前記開口保持手段は、
前記回動棒の棒表面から同一方向に突設された一対の保持爪部を有して構成され、
前記回動棒は、
一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動することを特徴とする請求項１に記載の袋詰め補助具。
【請求項５】
前記開口保持位置及び前記解除位置の少なくともいずれか一方で、前記回動棒の回動を規制する回動規制手段をさらに具備することを特徴とする請求項４に記載の袋詰め保持具。
【請求項６】
前記回動棒を前記開口保持位置へ付勢する付勢手段をさらに備えることを特徴とする請求項４に記載の袋詰め補助具。
【発明の詳細な説明】
【技術分野】
【０００１】
本発明は、袋詰め補助具に関するものであり、詳しくは、土嚢袋に土や砂などを詰め、土嚢等を作成する作業を容易にするための袋詰め補助具に関するものである。
【背景技術】
【０００２】
従来より、海岸、河川、湖、池等の護岸形成、落石防止壁、水止め堤等の土木工事、或いは台風等の災害時の河川の増水の際に所謂「土嚢」を用いることが行われている。この「土嚢」は、麻や化学繊維などの可撓性を有する袋体の中に、土、砂等を詰め、袋体の開口部を紐で縛ることにより、作成されている。【０００３】
ここで、土嚢を作成する場合には、可撓性を有する土嚢袋の開口部付近を、作業者の一人が手で開口した状態に保持し、もう一人の作業者がスコップ等を用いて、土や砂等の充填物を袋内に充填する作業を行っている。【０００４】
上記の技術は、当業者においては当然のごとく知られているものであり、本出願人は、本出願時において、上記の技術が記載されている文献を知見していない。
【発明の開示】
【発明が解決しようとする課題】
【０００５】
しかしながら、上述した土嚢を作成する作業において、土嚢袋の開口部の開口状態を保持する作業者と、土嚢袋の中に土や砂等をスコップで詰める作業者との二人一組で行う必要があり、効率が悪いものであった。さらに、土嚢袋の開口部を保持する作業者の手に、土等の充填物を充填するスコップ等の用具が接触する危険性もあり、土嚢を作成する際に事故が発生する場合もあった。【０００６】
また、上述した二人一組の作業では、土嚢を一つずつしか作成することができなかった。すなわち、複数の土嚢袋を開口した状態を同時に保持することはできないため、開口部の開口→土砂等の充填→開口部の閉塞の作業を繰り返し行わなければならず、一度に多くの土嚢を作ることは、時間がかかり、大変な労力を有する作業であった。特に、河川の増水時等の緊急時には、一度に大量の土嚢が必要となる場合があり、上述した作業では必要量の土嚢を作成する作業が追いつかないこともあった。【０００７】
そこで、本発明は上記の実情に鑑み、土嚢袋に土や砂等を詰める作業中において、土嚢袋を開口した状態で保持することができる袋詰め補助具の提供を課題とするものである。
【課題を解決するための手段】
【０００８】
本発明に係る袋詰め補助具は、「一対の上部フレームと、長手方向に沿って互いに対向させ、かつ、略水平方向に保持した状態で前記上部フレームを支持する脚部フレームと、前記上部フレームの間に互いに離間して横架され、前記上部フレームに対して回動可能に軸支されるとともに、袋体の開口部を開いた状態で保持する開口保持手段を有する一対の回動棒と、前記回動棒の少なくともいずれか一方に取設され、前記回動棒を前記上部フレームに対して回動させる操作部と、一対の前記回動棒を連結し、前記操作部によるいずれか一方の前記回動棒の回動操作に連動し、いずれか他方の前記回動棒を前記操作部の回動操作方向と相対する方向に回動させる連動手段とを具備する」構成とするものである。【０００９】
ここで、袋体とは、例えば麻や化学繊維等の織布で作られ、内部に充填される土や砂等の重量物を充填し、さらに係る状態で運搬にも耐え得るようなある程度の強度を有した土嚢袋等を例示できる。なお、説明を簡略化するため、以下、土嚢袋に土等を充填し、土嚢を作成する例について主に説明する。【００１０】
また、開口保持手段とは、特に限定するものではないが、土嚢袋等の袋体の開口部近傍を貫通可能な複数の突状部材を有するもの、或いは袋体の開口部近傍を挟持可能なクリップ、等を利用し、袋体の開口部を主に上方に開口した状態にすることが可能なものが例示される。【００１１】
さらに、連動手段とは、特に限定するものではないが、一方の回動棒の回動と連動する従来から周知の技術を利用したリンク機構を設けて他方の回動棒を相対する方向に回動させるもの、等を例示できる。【００１２】
本発明によると、土嚢袋（袋体）の開口部を広げ、一対の回動棒に設けられた開口保持手段に土嚢袋の開口部近傍を保持させる。これにより、土嚢袋の開口部を開いた状態にすることができ、係る状態で土や砂等の充填物を袋体の内部に充填する作業が行える。さらに、少なくとも一方の回動棒に取付けられた操作部を操作し、一対の上部フレームの間に架渡し、軸支された回動棒を回動させる。このとき、互いに回動棒の間に設けられた連動手段によって、操作した回動棒の回動操作方向に相対する方向に他方の回動棒が回動する。すなわち、操作部を、他方の回動棒に近接させる方向、換言すれば、互いに対向した回動棒の間に操作部の先端を近接させる。その結果、開口保持手段に保持された土嚢袋の開口部近傍の開口状態が解除される。これにより、本発明の袋詰め補助具から土等の充填された土嚢袋を取り外すことが可能となる。さらに、その後、土嚢袋の開口部を紐等で縛り、閉塞することにより土嚢が作成される。すなわち、従来のように土嚢袋の開口部を作業者が手で拡げた状態に保持することが必要とならず、一人であっても容易に土嚢を作成することが可能となる。【００１３】
本発明に係る袋詰め補助具は、「前記連動手段は、一方の前記回動棒の棒表上面から他方の前記回動棒の棒表下面に沿うようにして、一対の前記回動棒の間に架渡され、前記操作部による回動操作に応じ自在に変形可能な第一チェーンと、他方の前記回動棒の棒表上面から一方の前記回動棒の棒表下面に沿うようにして、一対の前記回動棒の間に架渡され、前記操作部による回動操作に応じ自在に変形可能な第二チェーンとを具備する」構成とすることもできる。【００１４】
本発明によると、一対の回動棒の夫々を互いに相対する方向へ回動させるのに、両方の回動棒の回動操作をすることなく、何れか一方の回動棒を回動させることで、他方の回動棒を相対する方向に回動させることができる。詳述すると、例えば、第一チェーンが棒表上面に沿った状態の回動棒を、第一チェーンを巻き掛けるように回動操作させると、第一チェーンの他端は他方の回動棒の棒表下面に沿っているため、回動操作とは相対する方向へ回動する。また、第一チェーンが棒表上面に沿った状態の回動棒には、第二チェーンが他端の棒表下面に沿った状態にあるため、先の操作とは反対方向へ回動操作させると、第二チェーンの他端は他方の回動棒の棒表上面に横架されているため、同様に、回動操作とは相対する方向へ回動する。これにより、一度の回動操作によって、一対の回動棒をそれぞれ回動させることが可能となる。さらに、互いの回動棒の両端部をそれぞれ比較的簡易な構成のチェーンで連結することにより、上述の回動操作が可能となる。【００１５】
本発明にかかる袋詰め補助具は、「前記開口保持手段は、前記回動棒の長手方向に沿って複数取設されている」構成とすることもできる。【００１６】
本発明によると、開口保持手段が、複数取設されているため、複数の土嚢袋（袋体）を同時に開口した状態で保持させることが可能となり、土嚢を一度に大量に作成する作業が容易となる。【００１７】
本発明に係る袋詰め補助具は、「前記開口保持手段は、前記回動棒の棒表面から同一方向に突設された一対の保持爪部を有して構成され、前記回動棒は、一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動する」構成とすることもできる。【００１８】
ここで、保持爪部の形状は、特に限定されるものではなく、例えば、コの字状を呈しており、その端部を有さない辺を回動棒に取設するもの、夫々独立した一対の突状部材を回動棒に取設させたもの、等を例示することができる。また、袋体の開口部を開口状態で保持するために、袋体は、少なくとも袋体の開口部近傍において四箇所を保持爪部により保持される。さらに、保持爪部は袋体を貫通させ易く、解除位置においては、袋体を保持爪部から外しやすいように、直線状に延びているものが望ましい。【００１９】
本発明によると、開口保持手段は、保持爪部を有して構成されている。これにより、土嚢袋（袋体）を開口状態に保持するために、その開口部近傍を保持爪部で貫通させる。これにより、袋体の開口部を開口状態に保持することが容易にできるため、土嚢を作る作業を迅速に行うことができる。特に、土嚢袋は、前述したように麻や化学繊維等の比較的強靱な素材によって形成されることが多いため、本発明の保持爪部によって、その一部を貫通させた場合でも、開口部近傍が大きく破れるような不具合を生じることがない。【００２０】
なお、開口保持位置において、保持爪部は、その爪端部を互いに離間させる斜め上方向まで変位させられており、これは保持爪部が略垂直に起立状態にある場合と比較して、可及的に袋体の開口部を広く開口させることができ、これにより、土嚢袋に土や砂等を詰め易くすることができる。また、保持爪部によって保持された開口状態が容易に解除されることがない。【００２１】
また、開口保持位置から、一対の回動棒を回動操作して、保持爪部を解除位置に回動させて、つまり、保持爪部の爪端部を互いに近接させる斜め下方向に変位させて、保持爪部を袋体の開口部近傍から外すには、上方へと保持爪部を抜けばよく、つまり本体を袋体より上方に持ち上げるだけで、保持爪部は袋体から外れるため、保持爪部を外す操作も簡単であり、さらに作業にかかる手間を省くことができる。【００２２】
本発明に係る袋詰め補助具は、「前記開口保持位置及び前記解除位置の少なくともいずれか一方で、前記回動棒の回動を規制する回動規制手段をさらに具備する」構成とすることもできる。【００２３】
本発明によると、土嚢袋（袋体）を保持爪部に貫通させるときに、回動棒の回動が規制されている。つまり、回動棒に取設された保持爪部の動きが規制されるため、袋体に保持爪部を貫通させるのに苦労せず、また、袋体の開口を安定した状態で保持することができるので、土や砂等を詰める作業も行い易くすることができる。【００２４】
また、解除位置の回動を規制する回動規制手段があることで、本体を持ち上げて、保持爪部と袋体の開口部近傍を離すとき、保持爪部が袋体にひっかかることなく、容易に外すことができる。【００２５】
本発明に係る袋詰め補助具は、「前記回動棒を前記開口保持位置へ付勢する付勢手段をさらに備える」構成とすることもできる。【００２６】
本発明によると、一対の回動棒を解除位置に回動させたのち、繰り返し土嚢を作る際に、作業者がその都度回動棒を回動させて、保持爪部を開口保持位置に戻す手間を省くことができる。
【発明の効果】
【００２７】
土嚢袋に土や砂等を詰める作業中において、土嚢袋の開口部を開口した状態で保持し、土等の充填物を充填することが容易に行える。また、回動棒の長手方向に対して複数の開口保持手段を設けることにより、従来は一つずつ充填作業を行い作成していた土嚢の作成をまとめて行うことができるようになる。その結果、河川増水時等の緊急性を要する場合に土嚢を作成する際に特に優れた効果を奏することが期待される。
【図面の簡単な説明】
【００２８】
【図１】本実施形態の袋詰め補助具の外観を示す斜視図である。
【図２】袋詰め補助具の要部を拡大した説明図である。
【図３】チェーンによる連動の様子を模式的に示す説明図である。
【発明を実施するための最良の形態】
【００２９】
以下、本発明の一実施形態である袋詰め補助具１について、図１乃至図３に基づいて説明する。ここで、図１は本実施形態の袋詰め補助具１の外観を示す斜視図であり、図２は袋詰め補助具１の要部を拡大した説明図であり、図３はチェーンによる連動の様子を模式的に示す説明図である。【００３０】
本実施形態の袋詰め補助具１は、図１乃至図３に示すように、一対の上部フレーム２と、該上部フレーム２を長手方向に沿って互いに対向させ、かつ、略水平方向に保持した状態で支持する脚部フレーム３と、上部フレーム２の間に互いに離間して横架され、上部フレーム２に対して回動可能に軸支されるとともに、袋体（以下、「土嚢袋Ｆ」とする）の開口部Ａを開いた状態で保持する複数の保持爪部４を有する一対の回動棒５ａ，５ｂと、回動棒５ａの端部近傍に取設され、回動棒５ａを上部フレーム２に対して回動させる操作部６と、一対の回動棒５ａ，５ｂの端部近傍同士を夫々連結し、操作部６による回動棒５ａの回動操作に連動し、回動棒５ｂを操作部６の回動操作方向と相対する方向に回動させる第一チェーン７及び第二チェーン８と、後述する開口保持位置Ｈで、回動棒５ａ，５ｂの回動を規制する回動規制部９とから主に構成されている。ここで、保持爪部４が本発明の開口保持手段に相当し、第一チェーン７及び第二チェーン８が、本発明の連動手段に相当する。【００３１】
さらに、詳しく説明すると、図１に示すように、袋詰め補助具１は、上部フレーム２と、上部フレーム２の夫々の端部に接続され、下方に拡開する脚部フレーム３とを備え、さらに、脚部フレーム３の下端部に接続され、上部フレーム２と略平行な接地フレーム１１と、一対の上部フレーム２において、互いに対向する夫々の端部を所定の距離をおいて接続させる上部接続フレーム１２と、一対の接地フレーム１１において互いに対向する夫々の端部を接続させ、上部接続フレーム１２と略同じ長さの下部接続フレーム１３とを備えて構成されている。なお、上部フレーム２及び上部接続フレーム１２は金属の長尺部材で形成され、その他のフレームは断面がＬ字状の金属フレームにより形成されている。係る複数のフレーム２等によって、本実施形態の袋詰め補助具１の全体形状は、側面から見ると略台形状を呈している。また、係る形状に構成することにより、土嚢を作成する現場（例えば、河川敷等）の地面が凹凸の激しい場所であっても、比較的安定して袋詰め補助具１を設置することができる。さらに、図示しないが、上部フレーム２の外側に取手が取設されており、袋詰め補助具１を運んだり、持ち上げたりし易いようになっている。【００３２】
また、図２に示すように、保持爪部４は、同一方向に延び互いに平行な一対の爪端部１４と、互いの爪端部１４同士を連結する連結辺部１５とからなり、全体として略コの字形状を呈しており、連結辺部１５が、回動棒５ａ，５ｂの棒表面に固着されている。なお、本実施形態では、保持爪部４は金属部材により形成されており、爪端部１４の先端は土嚢袋Ｆを貫通できる程度に突状に加工されている。【００３３】
ここで、回動棒５ａ，５ｂは、操作部６による回動操作によって、保持爪部４の爪端部１４を互いに離間させる斜め上方向まで変位させた開口保持位置Ｈ、換言すれば、土嚢袋Ｆの開口部Ａの近傍を貫通させて開口状態を保持可能な位置に変位することができる。また、保持爪部４の爪端部１４を互いに近接させる斜め下方向まで変位させた解除位置Ｋに上述の開口保持位置Ｈから変位させることができる（図３参照）。これにより、保持爪部４による開口状態の保持が解除され、土嚢袋Ｆを保持爪部４から外すことができる。【００３４】
さらに、図１に示すように、本実施形態の袋詰め補助具１の回動棒５ａには所定の間隔で五カ所にそれぞれ一対の保持爪部４が設けられ、さらに、該回動棒５ａの保持爪部４の位置に相対するように、回動棒５ｂにも同様に五カ所にそれぞれ一対の保持爪部４が固定されている。その結果、一度に五つの土嚢袋Ｆの開口部Ａを開口状態に保持することができ、後述する充填作業をまとめて行うことが可能となる。【００３５】
また、操作部６は、所定の厚みを有する金属の長尺部材からなり、短辺部（図示しない）が回動棒５ａの棒表面に溶着されている。そして、保持爪部４が互いに略水平方向に向き合う位置であるとき、回動棒５ａに対して若干外側、さらに詳細に説明すると、袋詰め補助具１の側方方向（図３における紙面左右方向に相当）に傾く角度で溶接されている。【００３６】
加えて、本実施形態の袋詰め補助具１は、図２に示すように、一対の回動棒５ａ，５ｂの間を連結する第一チェーン７及び第二チェーン８を有している。ここで、第一チェーン７は、回動棒５ｂの棒表上面から回動棒５ａの棒表下面に沿うようにして、一対の回動棒５ａ，５ｂの間に架渡され、操作部６による回動操作に応じ自在に変形可能であり、一方、第二チェーン８は、回動棒５ａの棒表上面から回動棒５ｂの棒表下面に沿うようにして、一対の回動棒５ａ、５ｂの間に架渡され、操作部６による回動操作に応じ自在に変形可能である。【００３７】
さらに、回動規制部９は、回動軸５ａ，５ｂの両端部に備えられたピン（図示しない）と、上部フレーム２内側に設けられ、回動棒５ａ，５ｂが開口保持位置Ｈにあるときにピンと当接可能な受け部（図示しない）とを有し、ピンが受け部に当接することで、回動棒５ａ，５ｂを開口保持位置Ｈよりも回動することを規制するものである。なお、係る回動規制部９は、周知の技術を応用することが可能であり、ここでは詳細な説明は省略するものとする。【００３８】
次に、図３（ａ）、図３（ｂ）に基づき、袋詰め補助具１の使用方法について、その作用とともに説明する。図３（ａ）は第一チェーン７の動作を示したものであり、図３（ｂ）は第二チェーン８の動作を示したものである。さらに、換言すると、図３（ａ）は、図１における紙面手前の上部フレーム２と第一チェーン７との間から紙面向こうを見る断面図であり、図３（ｂ）は、図１において最も奥の保持爪部４と第二チェーンとの間から紙面奥を見る断面図である。なお、図３（ｂ）では、本来操作部６は見えないが、便宜上二点鎖線で示す。【００３９】
まず、保持爪部４の爪端部１４が斜め上方に向かって夫々突出するように回動棒５ａ，５ｂを開口保持位置Ｈにセットする。なお、前述した回動規制部９により、回動棒５ａ，５ｂは、それ以上の回動が規制されている。係る開口保持位置Ｈにあることを確認し、土嚢袋Ｆの開口部Ａの近傍を回動棒５ａに設けられた保持爪部４の爪端部１４を土嚢袋Ｆに貫通させ、回動棒５ｂに備えられ、その貫通させた保持爪部４に相対する位置にある保持爪部４の爪端部１４にも土嚢袋Ｆの開口部近傍を貫通させる（図３（ａ）参照）。なお、この場合、互いに対向する保持爪部４の爪端部１４によって、逆ハの字形状を呈することとなる。【００４０】
このとき、回動規制部９によって回動棒５ａ，５ｂの回動が規制されているため、作業者が土嚢袋Ｆを夫々の爪端部１４に貫通させる際に、保持爪部４の位置が回動変位することが少なく、安定して貫通操作を行える。【００４１】
そして、保持爪部４の爪端部１４に土嚢袋Ｆの開口部Ａの近傍を貫通させ、土嚢袋Ｆの開口部Ａを開いた状態にする。そして、通常の土嚢を作成する際の作業と同様に、土嚢袋Ｆの内部に土や砂等の充填物を内部に充填する作業を行う。なお、係る場合、保持爪部４によって土嚢袋Ｆの開口状態が保持されているため（図１参照）、充填物を充填する作業は一人の作業者によって行うことができる。【００４２】
その後、土嚢袋Ｆに土や砂等の充填物を適量に充填すると、作業者は、回動棒５ａの一端に設けられた操作部６を把持し、回動棒５ｂに近接させる方向（図３（ａ）における矢印Ｕ１方向）、換言すれば、回動棒５ａ，５ｂの間に操作部６の先端を近接させる。このとき、係る操作部６による回動棒５ａの回動操作に伴い、図３（ａ）に示すように、回動棒５ａは、反時計回り（矢印Ｕ１方向）に回動する。本実施形態の袋詰め補助具１では、第一チェーン７は、回動棒５ｂの棒表上面から回動棒５ａの棒表下面に沿うようにして、一対の回動棒５ａ，５ｂの間に架渡されているため、第一チェーン７が回動棒５ａに巻きかかり、回動棒５ｂが時計回り（Ｃ１方向）に回動する。このとき、第二チェーン８は、回動棒５ａに巻きかかることはなく、撓むために作用しない。【００４３】
そして、回動棒５ａ，５ｂが解除位置Ｋに達するまで、操作部６により回動棒５ａの回動操作を継続し、保持爪部４が解除位置Ｋに達したら、回動操作を停止する。【００４４】
なお、図３（ａ）に示すように、解除位置Ｋでは、保持爪部４の爪端部１４に土嚢袋Ｆの開口部Ａの近傍が貫通されたまま、爪端部１４を互いに近接させて斜め下方向を向いた状態にある。したがって、例えば、二人に作業者によって、上部フレーム２に取設された取手（図示しない）を把持し、持ち上げることにより、爪端部１４による土嚢袋Ｆの開口部Ａ近傍の保持状態が解除され、袋詰め補助具１と土嚢袋Ｆとが離れた状態を創出することができる。【００４５】
さらに、詳しく説明すると、袋詰め補助具１を略鉛直上方向に持ち上げるにつれて、徐々に土嚢袋Ｆの開口部Ａの近傍が爪端部１４から抜け落ちる。特に、土嚢袋Ｆの内部には、充填作業により土や砂等の充填物が詰められているため、その重さにより、土嚢袋Ｆが爪端部１４に引っ掛かり、袋詰め補助具１と共に上方向へ上がることはほとんどない。【００４６】
そして、上記動作を繰返し、複数の土嚢を作成するために、持ち上げた袋詰め補助具１を例えば、充填済みの土嚢袋Ｆの近傍等の別の位置に接地させる。その後、開口部Ａが開口した状態の土嚢袋Ｆを紐等の閉塞手段を用いて閉塞し、内部に充填された充填物を漏出しないようにする。これにより、土嚢が完成する。なお、本実施形態の袋詰め補助具１は、回動棒５ａ，５ｂにそれぞれ五つの保持爪部４が設けられているため、一度に五つの土嚢袋Ｆに対して充填作業を行うことができる。【００４７】
さらに、別の位置に接地させた袋詰め補助具１の操作部６を把持し、回動棒５ｂから離れる方向、換言すれば、回動棒５ａ，５ｂの間と操作部６の先端を離間させる。操作部６による回動棒５ａの回動操作に伴い、図３（ｂ）に示すように、回動棒５ａは時計回り（図３（ｂ）における矢印Ｃ２参照）に回動する。本実施形態では、第二チェーン８は、回動棒５ａの棒表上面から回動棒５ｂの棒表下面に沿うようにして、一対の回動棒５ａ，５ｂの間に架渡されているため、第二チェーン８が回動棒５ａに巻きかかり、回動棒５ｂが反時計回り（矢印Ｕ２参照）に回動する。このとき、第一チェーン７は、回動棒５ａに巻きかかることはなく、撓むために作用しない。【００４８】
そして、回動棒５ａ，５ｂが開口保持位置Ｈに達するまで、操作部６により回動操作をおこなう。これにより、保持爪部４の爪端部１４に再び土嚢袋Ｆを開口した状態で保持することが可能となる。【００４９】
上記に示したように、本実施形態の袋詰め補助具１は、土嚢袋Ｆの開口部Ａを広げ、一対の回動棒５ａ，５ｂに設けられた保持爪部４に土嚢袋Ｆの開口部Ａの近傍を保持し、土嚢袋Ｆの開口部Ａを開いた状態を創出することができる。そして、係る状態で土や砂等の充填物を袋体の内部に充填する作業が容易に行うことができる。すなわち、従来のように土嚢袋Ｆの開口部Ａを作業者が手で拡げた状態に保持することが必要とならず、一人であっても容易に土嚢を作成することが可能となる。【００５０】
また、土嚢袋Ｆを開口状態に保持するために、その開口部近傍を保持爪部４の有する爪端部１４で貫通させる。これにより、土嚢袋Ｆの開口部Ａを開口状態に保持することが容易にできるため、土嚢を作る作業を迅速に行うことができる。【００５１】
また、開口保持位置Ｈにおいて、保持爪部４は、その爪端部１４を互いに離間させる斜め上方向まで変位させられており、これは保持爪４部が略垂直に起立状態にある場合と比較して、可及的に土嚢袋Ｆの開口部Ａを広く開口させることができ、これにより、土嚢袋Ｆに土や砂等を詰め易くすることができる。また、保持爪部４によって保持された開口状態が容易に解除されることがない。【００５２】
さらに、開口保持位置Ｈから、一対の回動棒５ａ，５ｂを回動操作して解除位置Ｋに回動させて、つまり、保持爪部４の爪端部１４を互いに近接させる斜め下方向に変位させることで、保持爪部４を土嚢袋Ｆの開口部近傍から外すには、保持爪部４を上方へ抜けばよく、つまり袋詰め補助具１を土嚢袋Ｆより上方に持ち上げるだけで、保持爪部４は土嚢袋Ｆから外れるため、保持爪部４を外す操作も簡単であり、さらに作業にかかる手間を省くことができる。【００５３】
加えて、保持爪部４が、複数取設されているため、複数の土嚢袋Ｆを同時に開口した状態で保持させることが可能となり、土嚢を一度に大量に作成する作業が容易となる。【００５４】
また、土嚢袋Ｆを保持爪部４に貫通させるときに、回動規制手段により回動棒５ａ，５ｂの回動が規制されている。つまり、回動棒５ａ，５ｂに取設された保持爪部４の動きが規制されるため、土嚢袋に保持爪部４の爪端部１４を貫通させるのに苦労せず、また、土嚢袋Ｆの開口を安定した状態で保持することができるので、土や砂等を詰める作業も行い易くすることができる。【００５５】
以上、本発明について好適な実施形態を挙げて説明したが、本発明はこの実施形態に限定されることなく、以下に示すように、本発明の要旨を逸脱しない範囲において、種々の改良及び設計の変更が可能である。【００５６】
すなわち、本実施形態では、袋体として土嚢袋Ｆを用い、中に土や砂等を詰めて、土嚢を作成するために用いたが、これに限定されるものではなく、使用する袋体は、麻などの布や化学繊維などで作られた可撓性を有する袋体であればよいため、例えば、落ち葉や庭木の枝葉などの収集や、肥料や籾殻を充填させることにも使用できる。さらに、使用する袋体に合わせて、一対の回動棒５ａ，５ｂの離間する幅を好適な幅としたり、目的応じて、回動棒５ａ，５ｂに設けられる開口保持手段の数を変更したりしてもよい。【００５７】
さらに、回動棒５ａ，５ｂを開口保持位置Ｈへ付勢するコイルバネ等の付勢手段を袋詰め補助具１に備えさせてもよい。その構成として、例えば、コイルバネを一対の回動棒５ａ，５ｂの両端部近傍に挿通させ、コイルバネの夫々の端部を上部接続フレーム１２に接続させる。これにより、解除位置Ｋにある一対の回動棒５ａ，５ｂを操作部６により、開口保持位置Ｈに戻さなくても、付勢手段の付勢力により、一対の回動棒５ａ，５ｂは開口保持位置Ｈに回動させられるため、解除位置Ｋから開口保持位置Ｈに戻す操作を省くことができる。さらに、本実施形態では、第一チェーン７と第二チェーン８が、一対の回動棒５ａ，５ｂの間に横架され、回動棒５ａ，５ｂが解除位置Ｋから開口保持位置Ｈへ回動するときは、第二チェーン８が作用するが、付勢手段を備えることで、第二チェーン８が不要となるため、袋詰め補助具１に備えさせるチェーンが一つで済む。
【図１】
2006134625.tif 000003
【図２】
2006134625.tif 000004
【図３】
2006134625.tif 000005
【手続補正書】
【提出日】平成17年10月14日(2005.10.14)
【手続補正００１】
【補正対象書類名】特許請求の範囲
【補正対象項目名】全文
【補正方法】変更
【補正の内容】
【書類名】特許請求の範囲
【請求項１】一対の上部フレームと、
長手方向に沿って互いに対向させ、かつ、略水平方向に保持した状態で前記上部フレームを支持する脚部フレームと、
前記上部フレームの間に互いに離間して横架され、前記上部フレームに対して回動可能に軸支されるとともに、袋体の開口部を開いた状態で保持する開口保持手段を有する一対の回動棒と、
前記回動棒の少なくともいずれか一方に取設され、前記回動棒を前記上部フレームに対して回動させる操作部と、
一対の前記回動棒を連結し、前記操作部によるいずれか一方の前記回動棒の回動操作に連動し、いずれか他方の前記回動棒を前記操作部の回動操作方向と相対する方向に回動させる連動手段と
を具備し、
前記開口保持手段は、
前記回動棒の棒表面から同一方向に突設された一対の保持爪部を有して構成され、
前記回動棒は、
一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動することを特徴とする袋詰め補助具。
【請求項２】前記連動手段は、
一方の前記回動棒の棒表上面から他方の前記回動棒の棒表下面に沿うようにして、一対の前記回動棒の間に架渡され、前記操作部による回動操作に応じ自在に変形可能な第一チェーンと、
他方の前記回動棒の棒表上面から一方の前記回動棒の棒表下面に沿うようにして、一対の前記回動棒の間に架渡され、前記操作部による回動操作に応じ自在に変形可能な第二チェーンと
を具備することを特徴とする請求項１に記載の袋詰め補助具。
【請求項３】前記開口保持手段は、
前記回動棒の長手方向に沿って複数取設されていることを特徴とする請求項１に記載の袋詰め補助具。
【請求項４】（削除）
【請求項５】前記開口保持位置及び前記解除位置の少なくともいずれか一方で、前記回動棒の回動を規制する回動規制手段をさらに具備することを特徴とする請求項１に記載の袋詰め保持具。
【請求項６】前記回動棒を前記開口保持位置へ付勢する付勢手段をさらに備えることを特徴とする請求項１に記載の袋詰め補助具。
【手続補正００２】
【補正対象書類名】明細書
【補正対象項目名】０００２
【補正方法】変更
【補正の内容】
【０００２】
あり、上述した作業では必要量の土嚢を作成する作業が追いつかないこともあった。
【０００７】  そこで、本発明は上記の実情に鑑み、土嚢袋に土や砂等を詰める作業中において、土嚢袋を開口した状態で保持することができる袋詰め補助具の提供を課題とするものである。
【課題を解決するための手段】
【０００８】  本発明に係る袋詰め補助具は、「一対の上部フレー厶と、長手方向に沿って互いに対向させ、かつ、略水平方向に保持した状態で前記上部フレームを支持する脚部フレームと、前記上部フレームの間に互いに離間して横架され、前記上部フレームに対して回動可能に軸支されるとともに、袋体の開口部を開いた状態で保持する開口保持手段を有する一対の回動棒と、前記回動棒の少なくともいずれか一方に取設され、前記回動棒を前記上部フレームに対して回動させる操作部と、一対の前記回動棒を連結し、前記操作部によるいずれか一方の前記回動棒の回動操作に連動し、いずれか他方の前記回動棒を前記操作部の回動操作方向と相対する方向に回動させる連動手段とを具備し、前記開口保持手段は、前記回動棒の棒表面から同一方向に突設された一対の保持爪部を有して構成され、前記回動棒は、一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動する」ものである。
【０００９】  ここで、袋体とは、例えば麻や化学繊維等の織布で作られ、内部に充填される土や砂等の重量物を充填し、さらに係る状態で運搬にも耐え得るようなある程度の強度を有した土嚢袋等を例示できる。なお、説明を簡略化するため、以下、土嚢袋に土等を充填し、土嚢を作成する例について主に説明する。
【００１０】  また、開口保持手段とは、特に限定するものではないが、土嚢袋等の袋体の開口部近傍を貫通可能な複数の突状部材を有するもの、或いは袋体の開口部近傍を挟持可能なクリップ、等を利用し、袋体の開口部を主に上方に開口した状態にすることが可能なものが例示される。
【００１１】  さらに、連動手段とは、特に限定するものではないが、一方の回動棒の回動と連動する従来から周知の技術を利用したリンク機構を設けて他方の回動棒を相対する方向に回動させるもの、等を例示できる。
【００１２】  本発明によると、土嚢袋（袋体）の開口部を広げ、一対の回動棒に設けられた開口保持手段に土嚢袋の開口部近傍を保持させる。これにより、土嚢袋の開口部を開いた状態にすることができ、係る状態で土や砂等の充填物を袋体の内部に充填する作
２／１
【手続補正００３】
【補正対象書類名】明細書
【補正対象項目名】０００３
【補正方法】変更
【補正の内容】
【０００３】
業が行える。さらに、少なくとも一方の回動棒に取付けられた操作部を操作し、一対の上部フレームの間に架渡し、軸支された回動棒を回動させる。このとき、互いに回動棒の間に設けられた連動手段によって、操作した回動棒の回動操作方向に相対する方向に他方の回動棒が回動する。すなわち、操作部を、他方の回動棒に近接させる方向、換言すれば、互いに対向した回動棒の間に操作部の先端を近接させる。その結果、開口保持手段に保持された土嚢袋の開口部近傍の開口状態が解除される。これにより、本発明の袋詰め補助具から土等の充填された土嚢袋を取り外すことが可能となる。さらに、その後、土嚢袋の開口部を紐等で縛り、閉塞することにより土嚢が作成される。すなわち、従来のように土嚢袋の開口部を作業者が手で拡げた状態に保持することが必要とならず、一人であっても容易に土嚢を作成することが可能となる。ここで、保持爪部の形状は、特に限定されるものではなく、例えば、コの字状を呈しており、その端部を有さない辺を回動棒に取設するもの、夫々独立した一対の突状部材を回動棒に取設させたもの、等を例示することができる。また、袋体の開口部を開口状態で保持するために、袋体は、少なくとも袋体の開口部近傍において四箇所を保持爪部により保持される。さらに、保持爪部は袋体を貫通させ易く、解除位置においては、袋体を保持爪部から外しやすいように、直線状に延びているものが望ましい。本発明によると、開口保持手段は、保持爪部を有して構成されている。これにより、土嚢袋（袋体）を開口状態に保持するために、その開口部近傍を保持爪部で貫通させる。これにより、袋体の開口部を開口状態に保持することが容易にできるため、土嚢を作る作業を迅速に行うことができる。特に、土嚢袋は、前述したように麻や化学繊維等の比較的強靭な素材によって形成されることが多いため、本発明の保持爪部によって、その一部を貫通させた場合でも、開口部近傍が大きく破れるような不具合を生じることがない。なお、開口保持位置において、保持爪部は、その爪端部を互いに離間させる斜め上方向まで変位させられており、これは保持爪部が略垂直に起立状態にある場合と比較して、可及的に袋体の開口部を広く開口させることができ、これにより、土嚢袋に土や砂等を詰め易くすることができる。また、保持爪部によって保持された開口状態が容易に解除されることがない。また、開口保持位置から、一対の回動棒を回動操作して、保持爪部を解除位置に回動させて、つまり、保持爪部の爪端部を互いに近接させる斜め下方向に変位させて、保持爪部を袋体の開口部近傍から外すには、上方へと保持爪部を抜けばよく、つまり本体を袋体より上方に持ち上げるだけで、保持爪部は袋体から外れるため、保持爪部を外す操作も簡単であり、さらに作業にかかる手間を省くことができる。
【００１３】  本発明に係る袋詰め補助具は、「前記連動手段は、一方の前記回動棒の棒表上面から他方の前記回動棒の棒表下面に沿うようにして、一対の前記回動棒の間に架渡され、前記操作部による回動操作に応じ自在に変形可能な第一チェーンと、他方の前記回動棒の棒表上面から一方の前記回動棒の棒表下面に沿うようにして、一対の前記回動棒の間に架渡され、前記操作部による回動操作に応じ自在に変形可能な第二チェーンとを具備する」構成とすることもできる。
【００１４】  本発明によると、一対の回動棒の夫々を互いに相対する方向へ回動させるのに、両方の回動棒の回動操作をすることなく、何れか一方の回動棒を回動させることで、他方の回動棒を相対する方向に回動させることができる。詳述すると、例えば、第一チェーンが棒表上面に沿った状態の回動棒を、第一チェーンを巻き掛けるように回動操作させると、第一チェーンの他端は他方の回動棒の棒表下面に沿っているため、回動操作とは相対する方向へ回動する。また、第一チェーンが棒表上面に沿った状態の回動棒には、第二チェーンが他端の棒表下面に沿った状態にあるため、先の操作とは反対方向へ回動操作させると、第二チェーンの他端は他方の回動棒の棒表上面に横架されているため、同様に、回動操作とは相対する方向へ回動する。これにより、一度の回動操作によって、一対の回動棒をそれぞれ回動させることが可能となる。さらに、互いの回動棒の両端部をそれぞれ比較的簡易な構成のチェーンで
３／１
【手続補正００４】
【補正対象書類名】明細書
【補正対象項目名】０００４
【補正方法】変更
【補正の内容】
【０００４】
連結することにより、上述の回動操作が可能となる。
【００１５】  本発明にかかる袋詰め補助具は、「前記開口保持手段は、前記回動棒の長手方向に沿って複数取設されている」構成とすることもできる。
【００１６】  本発明によると、開口保持手段が、複数取設されているため、複数の土嚢袋（袋体）を同時に開口した状態で保持させることが可能となり、土嚢を一度に大量に作成する作業が容易となる。
【００１７】
【００１８】
【００１９】
【００２０】
４
【手続補正００５】
【補正対象書類名】明細書
【補正対象項目名】０００５
【補正方法】変更
【補正の内容】
【０００５】
【００２１】
【００２２】  本発明に係る袋詰め補助具は、「前記開口保持位置及び前記解除位置の少なくともいずれか一方で、前記回動棒の回動を規制する回動規制手段をさらに具備する」構成とすることもできる。
【００２３】  本発明によると、土嚢袋（袋体）を保持爪部に貫通させるときに、回動棒の回動が規制されている。つまり、回動棒に取設された保持爪部の動きが規制されるため、袋体に保持爪部を貫通させるのに苦労せず、また、袋体の開口を安定した状態で保持することができるので、土や砂等を詰める作業も行い易くすることができる。
【００２４】  また、解除位置の回動を規制する回動規制手段があることで、本体を持ち上げて、保持爪部と袋体の開口部近傍を離すとき、保持爪部が袋体にひっかかることなく、容易に外すことができる。
【００２５】  本発明に係る袋詰め補助具は、「前記回動棒を前記開口保持位置へ付勢する付勢手段をさらに備える」構成とすることもできる。
【００２６】  本発明によると、一対の回動棒を解除位置に回動させたのち、繰り返し土嚢を作る際に、作業者がその都度回動棒を回動させて、保持爪部を開口保持位置に戻す手間を省くことができる。
【発明の効果】
【００２７】  土嚢袋に土や砂等を詰める作業中において、土嚢袋の開口部を開口した状態で保持し、土等の充填物を充填することが容易に行える。また、回動棒の長手方向に対して複数の開口保持手段を設けることにより、従来は一つずつ充填作業を行い作
５
【手続補正書】
【提出日】平成17年10月14日(2005.10.14)
【手続補正１】
【補正対象書類名】特許請求の範囲
【補正対象項目名】全文
【補正方法】変更
【補正の内容】
【書類名】請求の範囲
【請求項１】一対の上部フレームと、
長手方向に沿って互いに対向させ、かつ、略水平方向に保持した状態で前記上部フレームを支持する脚部フレームと、
前記上部フレームの間に互いに離間して横架され、前記上部フレームに対して回動可能に軸支されるとともに、袋体の開口部を開いた状態で保持する開口保持手段を有する一対の回動棒と、
前記回動棒の少なくともいずれか一方に取設され、前記回動棒を前記上部フレームに対して回動させる操作部と、
一対の前記回動棒を連結し、前記操作部によるいずれか一方の前記回動棒の回動操作に連動し、いずれか他方の前記回動棒を前記操作部の回動操作方向と相対する方向に回動させる連動手段と
を具備し、
前記開口保持手段は、
前記回動棒の棒表面から同一方向に突設された一対の保持爪部を有して構成され、
前記回動棒は、
一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動することを特徴とする袋詰め補助具。
【請求項２】前記連動手段は、
一方の前記回動棒の棒表上面から他方の前記回動棒の棒表下面に沿うようにして、一対の前記回動棒の間に架渡され、前記操作部による回動操作に応じ自在に変形可能な第一チェーンと、
他方の前記回動棒の棒表上面から一方の前記回動棒の棒表下面に沿うようにして、一対の前記回動棒の間に架渡され、前記操作部による回動操作に応じ自在に変形可能な第二チェーンと
を具備することを特徴とする請求項１に記載の袋詰め補助具。
【請求項３】前記開口保持手段は、
前記回動棒の長手方向に沿って複数取設されていることを特徴とする請求項１に記載の袋詰め補助具。
【請求項４】（削除）
【請求項５】前記開口保持位置及び前記解除位置の少なくともいずれか一方で、前記回動棒の回動を規制する回動規制手段をさらに具備することを特徴とする請求項１に記載の袋詰め保持具。
【請求項６】前記回動棒を前記開口保持位置へ付勢する付勢手段をさらに備えることを特徴とする請求項１に記載の袋詰め補助具。
【手続補正２】
【補正対象書類名】明細書
【補正対象項目名】０００２
【補正方法】変更
【補正の内容】
【０００２】
あり、上述した作業では必要量の土嚢を作成する作業が追いつかないこともあった。
［０００７］
そこで、本発明は上記の実情に鑑み、土嚢袋に土や砂等を詰める作業中において、土嚢袋を開口した状態で保持することができる袋詰め補助具の提供を課題とするものである。
［課題を解決するための手段］
［０００８］
本発明に係る袋詰め補助具は、「一対の上部フレームと、長手方向に沿って互いに対向させ、かつ、略水平方向に保持した状態で前記上部フレームを支持する脚部フレームと、前記上部フレームの間に互いに離間して横架され、前記上部フレームに対して回動可能に軸支されるとともに、袋体の開口部を開いた状態で保持する開口保持手段を有する一対の回動棒と、前記回動棒の少なくともいずれか一方に取設され、前記回動棒を前記上部フレームに対して回動させる操作部と、一対の前記回動棒を連結し、前記操作部によるいずれか一方の前記回動棒の回動操作に連動し、いずれか他方の前記回動棒を前記操作部の回動操作方向と相対する方向に回動させる連動手段とを具備し、前記開口保持手段は、前記回動棒の棒表面から同一方向に突設された一対の保持爪部を有して構成され、前記回動棒は、一対の前記回動棒の夫々相対する位置に設けられた前記保持爪部の爪端部を互いに離間させる斜め上方向まで変位させ、前記袋体の前記開口部を貫通し、開口状態を保持する開口保持位置、及び前記保持爪部の前記爪端部を互いに近接させる斜め下方向まで変位させ、前記袋体の前記保持爪部による開口状態を解除する解除位置の間で回動する」ものである。
［０００９］
ここで、袋体とは、例えば麻や化学繊維等の織布で作られ、内部に充填される土や砂等の重量物を充填し、さらに係る状態で運搬にも耐え得るようなある程度の強度を有した土嚢袋等を例示できる。なお、説明を簡略化するため、以下、土嚢袋に土等を充填し、土嚢を作成する例について主に説明する。
［００１０］
また、開口保持手段とは、特に限定するものではないが、土嚢袋等の袋体の開口部近傍を貫通可能な複数の突状部材を有するもの、或いは袋体の開口部近傍を挟持可能なクリップ、等を利用し、袋体の開口部を主に上方に開口した状態にすることが可能なものが例示される。
［００１１］
さらに、連動手段とは、特に限定するものではないが、一方の回動棒の回動と連動する従来から周知の技術を利用したリンク機構を設けて他方の回動棒を相対する方向に回動させるもの、等を例示できる。
［００１２］
本発明によると、土嚢袋（袋体）の開口部を広げ、一対の回動棒に設けられた開口保持手段に土嚢袋の開口部近傍を保持させる。これにより、土嚢袋の開口部を開いた状態にすることができ、係る状態で土や砂等の充填物を袋体の内部に充填する作
【手続補正３】
【補正対象書類名】明細書
【補正対象項目名】０００３
【補正方法】変更
【補正の内容】
【０００３】
業が行える。さらに、少なくとも一方の回動棒に取付けられた操作部を操作し、一対の上部フレームの間に架渡し、軸支された回動棒を回動させる。このとき、互いに回動棒の間に設けられた連動手段によって、操作した回動棒の回動操作方向に相対する方向に他方の回動棒が回動する。すなわち、操作部を、他方の回動棒に近接させる方向、換言すれば、互いに対向した回動棒の間に操作部の先端を近接させる。その結果、開口保持手段に保持された土嚢袋の開口部近傍の開口状態が解除される。これにより、本発明の袋詰め補助具から土等の充填された土嚢袋を取り外すことが可能となる。さらに、その後、土嚢袋の開口部を紐等で縛り、閉塞することにより土嚢が作成される。すなわち、従来のように土嚢袋の開口部を作業者が手で拡げた状態に保持することが必要とならず、一人であっても容易に土嚢を作成することが可能となる。ここで、保持爪部の形状は、特に限定されるものではなく、例えば、コの字状を呈しており、その端部を有さない辺を回動棒に取設するもの、夫々独立した一対の突状部材を回動棒に取設させたもの、等を例示することができる。また、袋体の開口部を開口状態で保持するために、袋体は、少なくとも袋体の開口部近傍において四箇所を保持爪部により保持される。さらに、保持爪部は袋体を貫通させ易く、解除位置においては、袋体を保持爪部から外しやすいように、直線状に延びているものが望ましい。本発明によると、開口保持手段は、保持爪部を有して構成されている。これにより、土嚢袋（袋体）を開口状態に保持するために、その開口部近傍を保持爪部で貫通させる。これにより、袋体の開口部を開口状態に保持することが容易にできるため、土嚢を作る作業を迅速に行うことができる。特に、土嚢袋は、前述したように麻や化学繊維等の比較的強靱な素材によって形成されることが多いため、本発明の保持爪部によって、その一部を貫通させた場合でも、開口部近傍が大きく破れるような不具合を生じることがない。なお、開口保持位置において、保持爪部は、その爪端部を互いに離間させる斜め上方向まで変位させられており、これは保持爪部が略垂直に起立状態にある場合と比較して、可及的に袋体の開口部を広く開口させることができ、これにより、土嚢袋に土や砂等を詰め易くすることができる。また、保持爪部によって保持された開口状態が容易に解除されることがない。また、開口保持位置から、一対の回動棒を回動操作して、保持爪部を解除位置に回動させて、つまり、保持爪部の爪端部を互いに近接させる斜め下方向に変位させて、保持爪部を袋体の開口部近傍から外すには、上方へと保持爪部を抜けばよく、つまり本体を袋体より上方に持ち上げるだけで、保持爪部は袋体から外れるため、保持爪部を外す操作も簡単であり、さらに作業にかかる手間を省くことができる。
［００１３］
本発明に係る袋詰め補助具は、「前記連動手段は、一方の前記回動棒の棒表上面から他方の前記回動棒の棒表下面に沿うようにして、一対の前記回動棒の間に架渡され、前記操作部による回動操作に応じ自在に変形可能な第一チェーンと、他方の前記回動棒の棒表上面から一方の前記回動棒の棒表下面に沿うようにして、一対の前記回動棒の間に架渡され、前記操作部による回動操作に応じ自在に変形可能な第二チェーンとを具備する」構成とすることもできる。
［００１４］
本発明によると、一対の回動棒の夫々を互いに相対する方向へ回動させるのに、両方の回動棒の回動操作をすることなく、何れか一方の回動棒を回動させることで、他方の回動棒を相対する方向に回動させることができる。詳述すると、例えば、第一チェーンが棒表上面に沿った状態の回動棒を、第一チェーンを巻き掛けるように回動操作させると、第一チェーンの他端は他方の回動棒の棒表下面に沿っているため、回動操作とは相対する方向へ回動する。また、第一チェーンが棒表上面に沿った状態の回動棒には、第二チェーンが他端の棒表下面に沿った状態にあるため、先の操作とは反対方向へ回動操作させると、第二チェーンの他端は他方の回動棒の棒表上面に横架されているため、同様に、回動操作とは相対する方向へ回動する。これにより、一度の回動操作によって、一対の回動棒をそれぞれ回動させることが可能となる。さらに、互いの回動棒の両端部をそれぞれ比較的簡易な構成のチェーンで
【手続補正４】
【補正対象書類名】明細書
【補正対象項目名】０００４
【補正方法】変更
【補正の内容】
【０００４】
連結することにより、上述の回動操作が可能となる。
［００１５］
本発明にかかる袋詰め補助具は、「前記開口保持手段は、前記回動棒の長手方向に沿って複数取設されている」構成とすることもできる。
［００１６］
本発明によると、開口保持手段が、複数取設されているため、複数の土嚢袋（袋体）を同時に開口した状態で保持させることが可能となり、土嚢を一度に大量に作成する作業が容易となる。
［００１７］
［００１８］
［００１９］
［００２０］
【手続補正５】
【補正対象書類名】明細書
【補正対象項目名】０００５
【補正方法】変更
【補正の内容】
【０００５】
［００２１］
［００２２］
本発明に係る袋詰め補助具は、「前記開口保持位置及び前記解除位置の少なくともいずれか一方で、前記回動棒の回動を規制する回動規制手段をさらに具備する」構成とすることもできる。
［００２３］
本発明によると、士嚢袋（袋体）を保持爪部に貫通させるときに、回動棒の回動が規制されている。つまり、回動棒に取設された保持爪部の動きが規制されるため、袋体に保持爪部を貫通させるのに苦労せず、また、袋体の開口を安定した状態で保持することができるので、土や砂等を詰める作業も行い易くすることができる。
［００２４］
また、解除位置の回動を規制する回動規制手段があることで、本体を持ち上げて、保持爪部と袋体の開口部近傍を離すとき、保持爪部が袋体にひっかかることなく、容易に外すことができる。
［００２５］
本発明に係る袋詰め補助具は、「前記回動棒を前記開口保持位置へ付勢する付勢手段をさらに備える」構成とすることもできる。
［００２６］
本発明によると、一対の回動棒を解除位置に回動させたのち、繰り返し土嚢を作る際に、作業者がその都度回動棒を回動させて、保持爪部を開口保持位置に戻す手間を省くことができる。
［発明の効果］
［００２７］
土嚢袋に土や砂等を詰める作業中において、土嚢袋の開口部を開口した状態で保持し、土等の充填物を充填することが容易に行える。また、回動棒の長手方向に対し複数の開口保持手段を設けることにより、従来は一つずつ充填作業を行い作
【国際調査報告】
2006134625.tif 000006
2006134625.tif 000007
2006134625.tif 000008